(57)【特許請求の範囲】
【請求項１】
スリーブ（２）を備えた一方の取付部（１）と前記スリーブ（２）の外周側に配置された他方の取付部（４）とをゴム状弾性材製の弾性体（７）およびダイアフラム（８）を介して接続して気密空間（９）を設け、前記気密空間（９）を仕切部（１０）によって弾性体（７）側の第一液室（１１）とダイアフラム（８）側の第二液室（１２）とに仕切り、前記仕切部（１０）を前記他方の取付部（４）の内側に固定して前記仕切部（１０）の内周側に前記スリーブ（２）を相対変位自在に内挿し、前記仕切部（１０）に前記両室（１１）（１２）を連通させるショックオリフィス（１６）を設け、前記仕切部（１０）にサブダイアフラム（１７）をその一面が前記第一液室（１１）に面するとともにその他面が前記第二液室（１２）に面するように設け、前記仕切部（１０）に前記第二液室（１２）に突出する筒部（１５ｂ）を設けるとともに前記スリーブ（２）の外周側に前記筒部（１５ｂ）の内周側に配置される第二スリーブ（１８）を固定して前記筒部（１５ｂ）と前記第二スリーブ（１８）との間にアイドルオリフィス（１９）を設け、前記両室（１１）（１２）に作動液（２０）を封入したことを特徴とする液体封入式マウント。
【発明の詳細な説明】
【０００１】
【発明の属する技術分野】
本発明は、農機、建機または自動車等において、キャビンを防振支持するキャビンマウントとして用いられる液体封入式マウントに関する。
【０００２】
【従来の技術】
公知のこの種の液体封入式マウントは、図３に示すように、キャビンの共振周波数（５〜１０Ｈｚ）前後の減衰を大きくすることによって、キャビン自体の揺れ（低周波振動またはショックとも称する）を減衰させている。しかしながらこの液体封入式マウントにおいては、エンジンのアイドル回転域において動ばね定数が高くなり、よってエンジンの振動がキャビンに伝達され易くなっている。特にトラクター等の農機にはエンジンマウントがなく、エンジンの振動がボディに直接伝達されるために、エンジンの振動に対して有効なキャビンマウントを設けることによって、アイドル回転域においてキャビンに伝わる振動（アイドル振動とも称する）を絶縁することは重要なファクターである。
【０００３】
【発明が解決しようとする課題】
本発明は以上の点に鑑み、低周波振動に対する「高減衰」とアイドル回転域における「低動ばね」を両立することができ、もって優れた防振性能を発揮することが可能な液体封入式マウントを提供することを目的とする。
【０００４】
【課題を解決するための手段】
上記目的を達成するため、本発明の液体封入式マウントは、スリーブを備えた一方の取付部と前記スリーブの外周側に配置された他方の取付部とをゴム状弾性材製の弾性体およびダイアフラムを介して接続して気密空間を設け、前記気密空間を仕切部によって弾性体側の第一液室とダイアフラム側の第二液室とに仕切り、前記仕切部を前記他方の取付部の内側に固定して前記仕切部の内周側に前記スリーブを相対変位自在に内挿し、前記仕切部に前記両室を連通させるショックオリフィスを設け、前記仕切部にサブダイアフラムをその一面が前記第一液室に面するとともにその他面が前記第二液室に面するように設け、前記仕切部に前記第二液室に突出する筒部を設けるとともに前記スリーブの外周側に前記筒部の内周側に配置される第二スリーブを固定して前記筒部と前記第二スリーブとの間にアイドルオリフィスを設け、前記両室に作動液を封入することにした。
【０００５】
【作用】
上記構成を備えた本発明の液体封入式マウントに対してアイドル振動が入力すると、第一液室の内圧が変化し、この内圧の変化がサブダイアフラムを介して第二液室に伝達され、第二液室において作動液の一部がアイドルオリフィスを通過することによって、この内圧の変化がキャンセルされる。またこのときアイドルオリフィスに液柱共振が発生して動ばね定数が下げられるために、このアイドル振動が有効に絶縁される。アイドル振動の周波数は２５〜３５Ｈｚ前後である。
【０００６】
また上記構成を備えた本発明の液体封入式マウントに対して低周波振動が入力すると、第一液室の内圧が大きく変化し、この内圧の変化によって第一液室内の作動液の一部がショックオリフィスを通過することによって、この内圧の変化がキャンセルされる。またこのときショックオリフィスに液柱共振が発生して動ばね定数が下げられるために、この低周波振動が有効に減衰される。低周波振動の周波数は５〜１０Ｈｚ前後である。
【０００７】
【発明の実施の形態】
上記構成を備えた本発明の液体封入式マウントは、弾性体、ダイアフラムおよびサブダイアフラムの三つのゴム状弾性体を備えている。したがって当該マウントの主要部品ないし全部品をこの三つのゴム状弾性体をそれぞれ中心とする三つのグループに仕分けし、各グループ毎に一つの加硫成形品を成形し、この三つの加硫成形品を組み合わせて当該マウントを構成するのが好適である。またショックオリフィスとアイドルオリフィスはそれぞれの機能に基づいて、互いに異なる拡張弾性率を設定される。
【０００８】
【実施例】
つぎに本発明の実施例を図面にしたがって説明する。
【０００９】
図１に示すように、スリーブ２および環状のプレート３を備えた一方の取付部１と、環状の第一ケース５および第二ケース６を備えた他方の取付部４とが環状を呈するゴム状弾性材製の弾性体（本体ゴム部またはゴム脚部とも称する）７およびダイアフラム８を介して接続されて、当該マウントの内部に環状の気密空間９が設けられており、この気密空間９が仕切部（仕切部材とも称する）１０によって弾性体７側（上側）の第一液室（主液室とも称する）１１と、ダイアフラム８側（下側）の第二液室（副液室とも称する）１２とに仕切られている。
【００１０】
仕切部１０は、他方の取付部４の内側（第二ケース６の内周側）に固定された環状のオリフィスケース１３と、このオリフィスケース１３の内周側に環状を呈するゴム状弾性材製の連結体１４を介して接続された環状のサブダイアフラムケース１５とを備えており、このサブダイアフラムケース１５の内周孔１５ａにスリーブ２がその軸方向（上下方向）に変位自在に配置されている。ここに変位自在に配置されているとは、サブダイアフラムケース１５とスリーブ２との間に極く僅かな間隙（図示せず）が設けられていて、上方から下向きの振動入力があった場合に、スリーブ２がサブダイアフラムケース１５に対して摺動してスリーブ２が下方へ相対変位し、更にこの変位後に元の位置に戻ることである。
【００１１】
オリフィスケース１３に、第一液室１１と第二液室１２とを連通させるショックオリフィス１６が設けられている。サブダイアフラムケース１５は、外周筒部１５ｂと、平板環状の径方向部１５ｃと、内周筒部１５ｄとを一体に備えていて、両筒部１５ｂ，１５ｄを下方へ向けた断面略コ字形に成形されており、内周筒部１５ｄの内周側に上記したようにスリーブ２が変位自在に配置されている。径方向部１５ｃの円周上の一箇所に透孔１５ｅが設けられ、この透孔１５ｅを塞ぐようにしてゴム状弾性材製のサブダイアフラム１７が架設されている。したがってこのサブダイアフラム１７はその一面が第一液室１１に面し、その他面が第二液室１２に面している。またこのサブダイアフラム１７は第一液室１１側に膨らんだドーム状に成形されている。
【００１２】
スリーブ２の下端近傍においてその外周側に第二スリーブ１８が嵌着されており、この第二スリーブ１８の上端部がサブダイアフラムケース１５の外周筒部１５ｂと内周筒部１５ｄの間に配置されていて、特に外周筒部１５ｂの内周側に配置されており、外周筒部１５ｄとこの第二スリーブ１８との間に環状のアイドルオリフィス１９が設けられている。スリーブ２の外周側に嵌着された第二スリーブ１８が外周筒部１５ｂと内周筒部１５ｄの間に配置されるよう、第二スリーブ１８には上方へ向けて広がったテーパ部１８ａが設けられている。また両液室１１，１２内に粘性流体等の作動液（内封液とも称する）２０が封入されている。
【００１３】
上記構成を備えた液体封入式マウントは、以下の三つの加硫成形品として成形されている。
【００１４】
第一の加硫成形品・・・
弾性体７が、スリーブ２、プレート３および第一ケース５に加硫接着されて第一の加硫成形品が成形されている。
第二の加硫成形品・・・
ダイアフラム８が、第二ケース６および第二スリーブ１８に加硫接着されて第二の加硫成形品が成形されている。
第三の加硫成形品・・・
サブダイアフラム１７およびこれに一体成形された連結体１４が、サブダイアフラムケース１５およびオリフィス部材１３に加硫接着されて第三の加硫成形品が成形されている。
【００１５】
つぎに上記構成を備えた液体封入式マウントの作動を説明すると、以下のとおりである。尚、当該マウントは例えば一方の取付部１をもって農機のキャビン側に取り付けられるとともに他方の取付部４をもってボディ側に取り付けられてキャビンを防振支持するものである。
【００１６】
すなわち、先ず、当該マウントに対して２５〜３５Ｈｚ前後のアイドル振動が上方から入力すると、第一液室１１の内圧が変化し、この内圧の変化がサブダイアフラム１７を介して第二液室１２に伝達され、第二液室１２において作動液２０の一部がアイドルオリフィス１９を通過することによって、この内圧の変化がキャンセルされる。またこのときアイドルオリフィス１９に液柱共振が発生して図２に示すように動ばね定数が下げられるために、このアイドル振動を有効に絶縁させることができる。
【００１７】
また当該マウントに対して５〜１０Ｈｚ前後の低周波振動が上方から入力すると、第一液室１１の内圧が大きく変化し、この内圧の変化によって第一液室１１内の作動液２０の一部がショックオリフィス１６を通過することによって、この内圧の変化がキャンセルされる。またこのときショックオリフィス１６に液柱共振が発生して図２に示したように動ばね定数が下げられるために、この低周波振動を有効に減衰させることができる。
【００１８】
したがって以上の作動から明らかなように、低周波振動に対する「高減衰」とアイドル回転域における「低動ばね」の双方が満足されており、この意味において、優れた防振性能を発揮する液体封入式マウントを提供することができる。また上記したように三つの加硫成形品の組み合わせによって製造されるため、複雑な構造を備えていながら簡単に製造される特徴を有している。
【００１９】
【発明の効果】
本発明は、以下の効果を奏する。
【００２０】
すなわち、上記構成を備えた本発明の液体封入式マウントに対して所定の周波数を備えたアイドル振動が入力すると、第一液室の内圧が変化し、この内圧の変化がサブダイアフラムを介して第二液室に伝達され、第二液室において作動液の一部がアイドルオリフィスを通過することによって、この内圧の変化がキャンセルされる。またこのときアイドルオリフィスに液柱共振が発生して動ばね定数が下げられるために、このアイドル振動を有効に絶縁させることができる。また本発明の液体封入式マウントに対して所定の周波数を備えた低周波振動が入力すると、第一液室の内圧が大きく変化し、この内圧の変化によって第一液室内の作動液の一部がショックオリフィスを通過することによって、この内圧の変化がキャンセルされる。またこのときショックオリフィスに液柱共振が発生して動ばね定数が下げられるために、この低周波振動を有効に減衰させることができる。したがってこれらによって低周波振動に対する「高減衰」とアイドル回転域における「低動ばね」の双方が満足されるために、優れた防振性能を発揮する液体封入式マウントを提供することができる。
【図面の簡単な説明】
【図１】本発明の実施例に係る液体封入式マウントの断面図
【図２】同マウントについての、周波数の大小によるばね定数の変化を示すグラフ図
【図３】従来例に係る液体封入式マウントについての、周波数の大小によるばね定数の変化を示すグラフ図
【符号の説明】
１  一方の取付部
２  スリーブ
３  プレート
４  他方の取付部
５  第一ケース
６  第二ケース
７  弾性体
８  ダイアフラム
９  気密空間
１０  仕切部
１１  第一液室
１２  第二液室
１３  オリフィスケース
１４  連結体
１５  サブダイアフラムケース
１５ａ  内周孔
１５ｂ  外周筒部（筒部）
１５ｃ  径方向部
１５ｄ  内周筒部
１５ｅ  透孔
１６  ショックオリフィス
１７  サブダイアフラム
１８  第二スリーブ
１８ａ  テーパ部
１９  アイドルオリフィス
２０  作動液
【図１】
0003562543.tif 000002
【図２】
0003562543.tif 000003
【図３】
0003562543.tif 000004